(57)【要約】【課題】遊技場の景品在庫の負担を軽減することができ、また、遊技者が獲得した遊技媒体を所望しない景品と交換せずに済み、さらに、遊技者が遊技媒体と交換した貴金属地金景品を携帯して持ち歩かずに済む景品交換システムを提供すること。【解決手段】遊技者が遊技媒体を貴金属地金景品と交換することを希望した場合に、該遊技媒体の数量に応じた量の貴金属地金を買い付ける注文を電気通信回線を通じて貴金属商に送信すると共に、買い付けた貴金属地金を遊技者に引き渡す注文を電気通信回線を通じて貴金属商に送信する。【選択図】　図１
2004016490.tif 000002
【特許請求の範囲】
【請求項１】
遊技機で遊技を行うことにより遊技者が獲得した遊技媒体の数量を係する計数手段を備え、該計数した遊技媒体の一部または全部をその数量に応じた貴金属地金景品と交換するための景品交換システムであって、遊技者が遊技媒体を貴金属地金景品と交換することを希望した場合に、該遊技媒体の数量に応じた量の貴金属地金を買い付ける注文を電気通信回線を通じて貴金属商に送信する買い付け注文送信手段と、買い付けた貴金属地金を遊技者に引き渡す注文を電気通信回線を通じて貴金属商に送信する引き渡し注文送信手段とを備えたことを特徴とする景品交換システム。
【請求項２】
上記買い付け注文送信手段と引き渡し注文送信手段とは、上記買い付け注文と引き渡し注文とを互いに同時に送信し、これら注文に応じた貴金属地金の買い付け及び引き渡しが完了した場合に、その旨の貴金属商からの通知を電気通信回線を通じて受信する完了通知受信手段を備えたことを特徴とする請求項１に記載の景品交換システム。
【請求項３】
上記買い付け注文を受信する貴金属商側に設けられた買い付け注文受信手段と、該買い付け注文受信手段が買い付け注文を受信した場合に、予め遊技場と貴金属商との間で締結された買い付け代金振り替え契約に基づいて、遊技場の金融機関口座から貴金属商の金融機関口座に買い付け代金を引き落とす代金決済手段を備えたことを特徴とする請求項１または請求項２に記載の景品交換システム。
【請求項４】
上記引き渡し注文を受信する貴金属商側に設けられた引き渡し注文受信手段と、該引き渡し注文受信手段が引き渡し注文を受信した場合に、予め遊技者と貴金属商との間で締結された貴金属地金の保護預かり契約に基づいて、買い付けた貴金属地金を遊技者名義の貴金属商口座に保管する引き渡し手段とを備えたことを特徴とする請求項１〜３のいずれか１項に記載の景品交換システム。
【請求項５】
遊技媒体１単位と交換される貴金属地金の種類及び量を表示する交換率表示手段を備えたことを特徴とする請求項１〜４のいずれか１項に記載の景品交換システム。
【請求項６】
上記計数手段により計数された遊技媒体と交換可能な貴金属地金の種類及び量を表示する交換量表示手段を備えたことを特徴とする請求項１〜５のいずれか１項に記載の景品交換システム。
【請求項７】
遊技者が買い付ける貴金属地金の種類及び量を選択するための貴金属地金選択手段を備え、上記買い付け注文送信手段は、該貴金属地金選択手段により遊技者が選択した貴金属地金の種類及び量のデータと買い付け注文の送信元である遊技場を識別可能な遊技場データとを包含した買い付け注文を送信することを特徴とする請求項１〜６のいずれか１項に記載の景品交換システム。
【請求項８】
遊技者を識別する遊技者識別手段を備え、上記引き渡し注文送信手段は、該識別した遊技者の遊技者データを包含した引き渡し注文を送信することを特徴とする請求項１〜７のいずれか１項に記載の景品交換システム。
【発明の詳細な説明】
【０００１】
【発明の属する技術分野】
本発明は、遊技機で遊技を行うことにより遊技者が獲得した遊技媒体を貴金属地金景品と交換するための景品交換システムに関する。
【０００２】
【従来の技術】
従来より、パチンコ、パチスロ等の遊技機で遊技を行うことにより遊戯者が獲得した玉またはメダル等の遊戯媒体は、パチンコ玉計数機やメダル計数機によって計数され、その数量に応じて時計、ライター、ＣＤ、食料品、所定重量を１単位とした貴金属地金等の各種景品と交換される。
【０００３】
【発明が解決しようとする課題】
しかし、パチンコ店またはパチスロ店等の遊技場においては、遊戯者からの要望が最も多い上記貴金属地金景品との交換に備えて予め貴金属地金景品を買い付けて保管しておく必要があり、貸し玉料売り上げまたは貸しメダル料売り上げに相当する貴金属地金景品の在庫負担が生じる、といった問題がある。
【０００４】
また、遊技者が遊技媒体を所望の景品と交換した後に残った端数の遊技媒体は、遊技者が特に所望していない菓子類等と交換せざるを得ない、といった問題がある。また、遊技者が遊技媒体を上記貴金属地金景品と交換した場合、その貴金属地金景品を携帯して持ち歩くことが安全でない場合がある。
【０００５】
そこで本発明は、上記の問題点に鑑み、遊技場の景品在庫の負担を軽減することができ、また、遊技者が獲得した遊技媒体を所望しない景品と交換せずに済み、さらに、遊技者が遊技媒体と交換した貴金属地金景品を携帯して持ち歩かずに済む景品交換システムを提供することを課題とする。
【０００６】
【課題を解決するための手段】
上記課題を解決するために本発明は、遊技機で遊技を行うことにより遊技者が獲得した遊技媒体の数量を係する計数手段を備え、該計数した遊技媒体の一部または全部をその数量に応じた貴金属地金景品と交換するための景品交換システムであって、遊技者が遊技媒体を貴金属地金景品と交換することを希望した場合に、該遊技媒体の数量に応じた量の貴金属地金を買い付ける注文を電気通信回線を通じて貴金属商に送信する買い付け注文送信手段と、買い付けた貴金属地金を遊技者に引き渡す注文を電気通信回線を通じて貴金属商に送信する引き渡し注文送信手段とを備えたことを特徴とする。
【０００７】
これによれば、遊技者から遊技媒体と貴金属地金景品との交換の希望があった場合にそのつど貴金属商に対して買い付け注文を送信するので、遊技場側が予め貴金属地金景品の在庫を確保しておく必要がなく、在庫負担が軽減する。また、遊技媒体１個に相当する貴金属地金の買い付け注文を行うことができるので、遊技者は獲得した遊技媒体を所望しない景品と交換せずに済む。
【０００８】
また、上記買い付け注文送信手段と引き渡し注文送信手段とは、上記買い付け注文と引き渡し注文とを互いに同時に送信し、これら注文に応じた貴金属地金の買い付け及び引き渡しが完了した場合に、その旨の貴金属商からの通知を電気通信回線を通じて受信する完了通知受信手段を備えるのが好ましい。
【０００９】
また、上記買い付け注文を受信する貴金属商側に設けられた買い付け注文受信手段と、該買い付け注文受信手段が買い付け注文を受信した場合に、予め遊技場と貴金属商との間で締結された買い付け代金振り替え契約に基づいて、遊技場の金融機関口座から貴金属商の金融機関口座に買い付け代金を引き落とす代金決済手段を備えるようにすると、買い付け代金の決済を即時に且つ円滑に行うことができる。
【００１０】
また、上記引き渡し注文を受信する貴金属商側に設けられた引き渡し注文受信手段と、該引き渡し注文受信手段が引き渡し注文を受信した場合に、予め遊技者と貴金属商との間で締結された貴金属地金の保護預かり契約に基づいて、買い付けた貴金属地金を遊技者名義の貴金属商口座に保管する引き渡し手段とを備えるようにすると、遊技者が遊技媒体と交換した貴金属地金景品を携帯して持ち歩かずに済む。
【００１１】
また、遊技媒体１単位と交換される貴金属地金の種類及び量を表示する交換率表示手段や、上記計数手段により計数された遊技媒体と交換可能な貴金属地金の種類及び量を表示する交換量表示手段を備えるのが好ましい。また、遊技者が買い付ける貴金属地金の種類及び量を選択するための貴金属地金選択手段を備え、上記買い付け注文送信手段は、該貴金属地金選択手段により遊技者が選択した貴金属地金の種類及び量のデータと買い付け注文の送信元である遊技場を識別可能な遊技場データとを包含した買い付け注文を送信するのが好ましい。また、遊技者を識別する遊技者識別手段を備え、上記引き渡し注文送信手段は、該識別した遊技者の遊技者データを包含した引き渡し注文を送信するのが好ましい。
【００１２】
【発明の実施の形態】
以下、本発明の実施の形態について、図１ないし図３を参照して説明する。
【００１３】
図１は、本発明に係る景品交換システムの一実施の形態を示したもので、この景品交換システムは、パチンコ遊技機で遊技を行うことにより遊技者が獲得したパチンコ玉の数量を計数するパチンコ玉計数機１と、このパチンコ玉計数機１に接続され景品の管理等を行うＰＯＳレジスタ２とを備えている。
【００１４】
パチンコ玉計数機１はジェットカウンタ式のものであり、遊技者が獲得したパチンコ玉をこのパチンコ玉計数機に投入すると自動的にそのパチンコ玉の数が計数される。この計数データは、パチンコ玉計数機１に設けられた計数カウンタ１１に表示されると共に、ＰＯＳレジスタ２に送信される。
【００１５】
ＰＯＳレジスタ２は、貸し玉売り上げ及び景品の管理を行うと共に、所定の貴金属商に設置されている貴金属商側端末４とコンピュータネットワークを介して接続されており、該貴金属商側端末４との間で各種データを送受信できる。
【００１６】
また、このＰＯＳレジスタ２は、パチンコ玉１個と交換可能な貴金属地金の種類及び量を表示する交換率表示部２１と、パチンコ玉計数機１で計数された数量のパチンコ玉と交換可能な貴金属地金の種類及び量を表示する交換料表示部２２と、遊技者がパチンコ玉との交換を希望する貴金属地金の種類及び交換を希望するパチンコ玉の数量を選択するための交換選択部２３と、パチンコ玉と貴金属地金との交換後にその交換された貴金属地金量の種類及び量を表示する交換終了表示部２４とを備えている。
【００１７】
交換率表示部２１は、パチンコ玉１個と交換可能な貴金属地金の種類、例えば金（Ａｕ）、銀（Ａｇ）、白金（Ｐｔ）等を表示すると共に、これら貴金属地金の種類に対応するパチンコ玉１個と交換可能な量を重量単位で表示する。この表示のためのデータは、コンピュータネットワークを介して、上記接続された貴金属商側端末４から送信されてくる貴金属相場データに基づいて所定時間おきに更新される。
【００１８】
交換量表示部２２は、上記パチンコ玉計数機１から送信される計数データと上記交換率表示部２１に表示されるデータとに基づいて算出された、パチンコ玉計数機１で計数された数量のパチンコ玉と交換可能な貴金属地金の量を重量単位で表示する。
【００１９】
交換選択部２３は、遊技者が交換を希望する貴金属地金の種類を選択する種類選択部２３１と、貴金属地金との交換を希望するパチンコ玉の数量を選択する玉数選択部２３２とを有している。
【００２０】
ＰＯＳレジスタ２には、この景品交換システムを利用する遊技者のための会員カードの発行及び読みとりを行うカードリーダ３が接続されている。遊技者は、この会員カードの発行に際し、上記所定の貴金属商と貴金属地金の保護預かり契約を締結して貴金属商口座を開設する。この会員カードをカードリーダ３に挿入すると、会員カードに書き込まれた遊技者データが読み込まれてＰＯＳレジスタ２に送信され、遊技者が識別される。
【００２１】
上述したように、貴金属商には貴金属商側端末４が設置されており、コンピュータネットワークを介して接続されたパチンコ店のＰＯＳレジスタ２との間で、各種データを送受信できる。
【００２２】
次に、本実施形態の作用について、図２に示したパチンコ店側の処理フローチャートと、図３に示した貴金属商側の処理フローチャートを参照して説明する。
【００２３】
まず、遊戯者が、パチンコ遊技機で遊技を行うことにより獲得したパチンコ玉をパチンコ玉計数機１に投入する（Ｓ１）と、パチンコ玉計数機１は、投入されたパチンコ玉の数量を自動的に計数して、その計数データを計数カウンタ１０に表示する（Ｓ２）と共に、ＰＯＳレジスタ２に送信する（Ｓ３）。
【００２４】
計数データを受信したＰＯＳレジスタ２は、交換率表示部２１にパチンコ玉１個と交換可能な貴金属地金種類及び量を表示すると共に、交換量表示部２２に計数データに応じたパチンコ玉と交換可能な貴金属地金の種類及び量を表示する（Ｓ４）。
【００２５】
遊技者は、獲得したパチンコ玉と貴金属地金景品との交換を希望する場合には、自己の会員カードをカードリーダ３に挿入し（Ｓ５）、続いて、各表示部２１、２２の表示を確認しながら、交換選択部２３の種類選択部２３１と玉数選択部２３２と操作して交換を希望する貴金属地金の種類及びパチンコ玉の数量を選択する（Ｓ６）。
【００２６】
この選択が行われると、ＰＯＳレジスタ２は、選択された貴金属地金の種類及びパチンコ玉の数量と、その選択時点での交換率（パチンコ玉１個と交換可能な貴金属地金の重量）とから、遊技者が交換を希望する貴金属地金の重量を算出する。そして、その重量と選択された選択された貴金属地金の種類とで構成される選択データと、このＰＯＳレジスタ２が設置されている遊技場を識別可能な遊技場データとを包含した買い付け注文データを生成すると共に、カードリーダ３によって読み込まれた会員カードの遊技者データを包含した引き渡し注文データを生成する（Ｓ７）。生成された各注文データは、コンピュータネットワークを介して貴金属商側端末４に対して同時に送信される（Ｓ８）。
【００２７】
貴金属商側端末４がこの各注文データを受信すると（Ｓ２１）、貴金属商は買い付け注文データに含まれる選択データに基づいて貴金属を買い付ける（Ｓ２２）と共に、予め遊技場と貴金属商との間で締結された買い付け代金振り替え契約に基づいて、買い付け注文データに含まれる遊技場データによって識別された遊技場の金融機関口座から貴金属商の金融機関口座に買い付け代金を引き落とす（Ｓ２３）。
【００２８】
続いて、貴金属商は、引き渡し注文データに含まれる遊技者データによって識別された遊技者の上記貴金属商口座に、買い付けた貴金属地金を保管する（Ｓ２４）。
【００２９】
貴金属地金の買い付け及び引き渡しが完了すると、貴金属商側端末４は、コンピュータネットワークを介し、買い付け及び引き渡しが完了した旨の通知をパチンコ店のＰＯＳレジスタ２に対して送信する（Ｓ２５）。この通知には、遊技者の貴金属商口座に引き渡した貴金属地金の種類及び重量のデータが含まれている。
【００３０】
この通知を受信すると（Ｓ９）、ＰＯＳレジスタ２は、この通知に含まれている遊技者の貴金属商口座に引き渡した貴金属地金の種類及び重量のデータに基づいて、交換終了表示部２４に、パチンコ玉と交換された、すなわち遊技者の上記貴金属商口座に引き渡された貴金属地金量の種類及び重量を表示する（Ｓ１０）。
【００３１】
なお、本実施の形態では、遊技機がパチンコ遊技機であり、遊技媒体がパチンコ玉である場合について説明したが、本発明はこれに限定されるものではなく、例えば、遊技機がパチスロ遊技機であって遊技媒体がメダルであっても良い。
【００３２】
【発明の効果】
以上の説明から明らかなように、本発明は、遊技者から遊技媒体と貴金属地金景品との交換の希望があった場合にそのつど貴金属商に対して買い付け注文を送信するので、遊技場側が予め貴金属地金景品の在庫を確保しておく必要がなく、在庫負担が軽減する。また、遊技媒体１個に相当する貴金属地金の買い付け注文を行うことができるので、遊技者は獲得した遊技媒体を所望しない景品と交換せずに済む。
【００３３】
また、買い付けた貴金属地金を遊技者名義の貴金属商口座に保管するようにすれば、遊技者が遊技媒体と交換した貴金属地金景品を携帯して持ち歩かずに済む。
【図面の簡単な説明】
【図１】本発明の一実施の形態の構成を示す図
【図２】パチンコ店側の処理を示すフローチャート図
【図３】貴金属商側の処理を示すフローチャート図
【符号の説明】
１　パチンコ玉計数機
２　ＰＯＳレジスタ
４　貴金属商側端末
【図１】
2004016490.tif 000003
【図２】
2004016490.tif 000004
【図３】
2004016490.tif 000005